(57)【特許請求の範囲】
【請求項１】
通常では接着することなく圧、熱等の接着条件を付与することにより、剥離可能に接着する接着剤が表裏面に塗布されてなる葉書サイズの略４倍の大きさからなるシートであって、シートを２分する位置に分割部が設けられ、この分割部に直交してシートを２分する位置に折り部が設けられてなり、分割部を境に、一方は、折り部を有する貼着シート部とし、他方は、折り部を有する葉書本体シート部としてなり、前記中央分割部に直交し貼着シート部を中央で２分する表面側の折り部側の一方には、はがき表示を有する補助シート部と宛先からなる表示情報部が設けられ、他方には、表示情報部が設けられてなり、貼着シート部の裏面側には、前記補助シート部に対応して強接着剤が塗布されていると共に、表示情報部に対応して隠蔽情報部が設けられてなり、前記中央分割部に直交し葉書本体シート部を中央で２分する折り部を有する表面側には、隠蔽情報部が設けられてなり、葉書本体シート部の裏面側の折り部により区画される一方の領域には、強接着剤が塗布されていることを特徴とする葉書用シート。
【発明の詳細な説明】
【０００１】
【発明の属する技術分野】
本発明は、通常の葉書で伝達できる通知情報量よりも多くの通知情報量を、一度に送ることができる単片プリンタ用の葉書用シートに関するものである。
【０００２】
【従来の技術】
近年の郵便法の規制緩和傾向下において、封書より低額料金で送れる葉書を活用して、さらに多くの通知情報量を一度に葉書で送れるように、葉書片の通知情報面に、通知情報を有する被覆片を剥離可能に貼着したり、葉書片と被覆片を折り重ね合わせ剥離可能に接着して貼着化が行われている。しかし、単片プリンタにおいては、Ａ４サイズの用紙を使用することが主流であり、Ａ４サイズの用紙に情報をプリント後、四つ切りして四枚の葉書片の通知情報面に、通知情報を有する被覆片をそれぞれ剥離可能に貼着したり、二つ切りして二組の葉書片と被覆片とが連接した紙片をそれぞれ折り重ね合わせ剥離可能に接着して被覆化葉書を作成していた。
【０００３】
【発明が解決しようとする課題】
そのため従来、用紙サイズに比較的自在性のある連続プリンタ用の葉書用シートを使用した被覆化葉書のものにおいては、葉書片サイズの三倍の大きさを有する紙片を三つ折り形態に折り重ね合わせて、葉書片の表裏面側に被覆片を設ける形にできるが、単片プリンタ用の限定されたサイズの葉書用シートを使用した被覆化葉書のものにおいては、葉書片の両面、または片面に被覆片を貼付する場合を除けば、二つ折り形態が可能なため一度に通知できる情報量が片面の被覆片分だけ増えるものの、単片プリンタ用の葉書用シートから作成できる被覆化葉書の情報量は、連続プリンタ用の葉書用シートに比べて一枚分の被覆片だけ情報量が少なかった。
【０００４】
【課題を解決するための手段】
本発明は、上記の点に鑑み、通常では接着することなく圧、熱等の接着条件を付与することにより、剥離可能に接着する接着剤が表裏面に塗布されてなる葉書サイズの略４倍の大きさからなるシートであって、シートを２分する位置に分割部が設けられ、この分割部に直交してシートを２分する位置に折り部が設けられてなり、分割部を境に、一方は、折り部を有する貼着シート部とし、他方は、折り部を有する葉書本体シート部としてなり、前記中央分割部に直交し貼着シート部を中央で２分する表面側の折り部側の一方には、はがき表示を有する補助シート部と宛先からなる表示情報部が設けられ、他方には、表示情報部が設けられてなり、貼着シート部の裏面側には、前記補助シート部に対応して強接着剤が塗布されていると共に、表示情報部に対応して隠蔽情報部が設けられてなり、前記中央分割部に直交し葉書本体シート部を中央で２分する折り部を有する表面側には、隠蔽情報部が設けられてなり、葉書本体シート部の裏面側の折り部により区画される一方の領域には、強接着剤を塗布して葉書用シートとしたものである。
【０００５】
【発明の実施の形態】
次に、本発明を添付図面に基づいて詳細に説明する。図１は、葉書用シートの表面説明図、図２は、葉書用シートの裏面説明図、図３は、葉書用シートを用いた葉書の作成工程説明図、図４は、作成した葉書の平面斜視説明図、図５は、図４のＸ−Ｘ線断面説明図、図６は、作成した葉書を視認するための剥離展開状態を示す説明図である。
【０００６】
図１、図２により葉書用シート１の構成を説明する。葉書用シート１は、略矩形状のＡ４サイズからなり、あらかじめ表裏全面に剥離可能な接着剤Ａが塗布されている。図１に示すように矩形の短辺側の中央には、分断マーク４ｍが印刷表示され、分断マーク４ｍを結ぶ分割部４を境として貼着シート部２と葉書本体シート部３とに区画されるものである。この分割部４に直交して長辺側の中央を結ぶ位置には、貼着シート部２と葉書本体シート部３をそれぞれ折り畳むためのミシン目または筋押し等からなる折り部５が設けられている。分割部４で分割される貼着シート部２側は、角部二ヶ所に剥し口用のコーナーカットＫが設けられ、前記折り部５で区画されて宛先情報１０、表示情報８ａが記載される表示情報部８が設けられている。葉書本体シート部３側には、前記折り部５で区画されて隠蔽情報９ａ、９ｂが記載される隠蔽情報部９が設けられている。また、貼着シート部２側表面の前記折り部５に沿って、「郵便はがき」なるはがき表示６が印刷されている補助シート部７が設けられており、葉書本体シート部３側表面の前記折り部５に沿って、補助シート部７に並列して補助シート部７と同形の強接着部領域１１ａが設けられている。
【０００７】
葉書用シート１の裏面側は、図２に示すように貼着シート部２側の補助シート部７に対応する部分、および葉書本体シート部３の折り部５で区画されるどちらか一方の１／２領域には、強接着剤Ｂが塗布されており、葉書本体シート部３の他方の１／２領域には、強接着部領域１１ｂが設けられている。また、貼着シート部２の折り部５で区画されて補助シート部７を除く部分には、隠蔽情報９ｄ、９ｃが記載される隠蔽情報部９が設けられている。
【０００８】
次に、図３に基づき葉書用シート１を用いて葉書Ｌを作成する方法について、順を追って説明する。まず、葉書用シート１に適宜な単片プリンタＰで、表面側の表示情報部８に宛先情報１０、表示情報８ａと隠蔽情報部９に隠蔽情報９ａ、９ｂを、裏面側の貼着シート部２の隠蔽情報部９に隠蔽情報９ｄ、９ｃを印字する。
【０００９】
表裏面の印字が終わった葉書用シート１を、短辺側の中央に表示してある分断マーク４ｍを目印として、分断マーク４ｍ間をスリッターやカッター等を使用した適宜な分断機Ｓで分断し、貼着シート部２と葉書本体シート部３とに分割する。
【００１０】
次に、分割した貼着シート部２の裏面側を葉書本体シート部３の表面側に重ね合わせた後、貼着シート部２が表出するように折り部５に沿って適宜な折り機で折り畳み、折り部５を基線とした四紙片重ねを形成する。
【００１１】
さらに、折り重ね合わせ面に対向する剥離可能な接着剤Ａを接着するために、接着剤の接着条件である圧力を付与する圧着ロールＨで加えて接着する。作成された葉書Ｌの詳細については、図４、図５に示すように隠蔽情報９ａ、９ｂを有する葉書本体シート部３を、宛先情報１０、表示情報８ａ、隠蔽情報９ｄ、９ｃを有する貼着シート部２で剥離可能に被覆しており、葉書本体シート部３の裏面側対向面および貼着シート部２のはがき表示領域６裏面と葉書本体シート部３の表面側対向面は、強接着剤Ｂにより剥離困難に接着し、その他の貼着シート部２の裏面側と葉書本体シート部３の対向面は、剥離可能に接着するものである。加圧力の調節は、圧着ロールの締め付けによるほか、必要に応じて圧着ロールを増設してもよいものである。
【００１２】
なお、感圧性の剥離可能な接着剤Ａは、例えば天然ゴム１００重量部に対して、スチレン２〜８重量部とメタクリル酸メチル１０〜１６重量部とをグラフト共重合させて得られた天然ゴムラテックスに、テルペン樹脂系粘着付与剤２〜１０重量部を添加して感圧性のベース接着剤とし、このベース接着剤１００重量部に対して、平均粒径１〜３０μｍの酸化チタン、小麦澱粉、シリカ等の微粒状充填剤を１５０〜２５０重量部を添加してなるものである。
【００１３】
また、感圧性の剥離可能な接着剤Ａに代えて、熱の付与により剥離可能に接着する感熱性接着剤を用いてもよい。感熱性接着剤を用いた場合には、図３に示す接着手段である圧着ロールＨを熱圧着ロールとすればよいものであり、必要に応じて熱圧着ロールを増設してもよいものである。
【００１４】
強接着剤Ｂは、剥離可能な接着剤Ａの接着力を増強させて剥離困難に接着するための接着力強化剤、例えば、剥離可能な接着剤Ａの表面に微細シリカ粉末５０〜９５乾燥重量％およびバインダー５〜５０乾燥重量％からなる組成物を３．０ｇ／ｍ２より少ない塗工重量で塗布したものが好適であり、また水中に微細に分散した固体シリカ５０〜９５乾燥重量％およびバインダー５〜５０乾燥重量％からなる組成物を３．０ｇ／ｍ２より少ない塗工重量で塗工してもよいし、接着条件を付与するとそれ自身で強く接着する感圧性または感熱性の接着剤でもよいものである。
【００１５】
なお、図６は、作成された葉書Ｌが郵送され、受領人によって葉書本体シート部３を被覆している貼着シート部２を剥がして、中に記載されている隠蔽情報９ａ、９ｂ、９ｃ、９ｄを視認状態にしたもので、はがき表示６ａが表示されている貼着シート部２の補助シート部７と葉書本体シート部３との対向面が接着されて、冊子状に一体化されているものである。
【００１６】
なお、横型の葉書Ｌを作成するには、分割部４を長辺側中央に設け、この分割部４に直交して折り部５を短辺側の中央を結ぶ位置に設け、貼着シート部２と葉書本体シート部３とに区画すればよいものである。また、葉書Ｌの一部を引換え券や入場券のような半券として利用するような場合に、貼着シート部２を切離して葉書本体シート部３から分離するには、折り部５や連接する補助シート部７の他端側をミシン目にするとよい。
【００１７】
【発明の効果】
以上、説明したところで明らかなように、本発明の葉書用シートは、単片プリンタの標準サイズであるＡ４サイズを、葉書本体シート部と貼着シート部とに情報印字後分割する構成としたしたので、葉書本体シート部の両面とその各々面を被覆する貼着シート部の表裏面とに情報を設けることができるため、一度に伝達することができる情報量が拡大することができるという効果を奏するものである。
【図面の簡単な説明】
【図１】  本発明の葉書用シートの表面図。
【図２】  図１の葉書用シートの裏面図。
【図３】  本発明の葉書用シートを用いた葉書の作成工程説明図。
【図４】  作成した葉書の平面斜視図。
【図５】  図４のＸ−Ｘ線断面図。
【図６】  作成した葉書の剥離展開状態の説明図。
【符号の説明】
１  葉書用シート
２  貼着シート部
３  葉書本体シート部
４  分割部
４ｍ  分断マーク
５  折り部
６  はがき表示領域
６ａ  はがき表示
７  補助シート部
８  表示情報部
８ａ  表示情報
９  隠蔽情報部
９ａ、９ｂ、９ｃ、９ｄ  隠蔽情報
１０  宛先情報
１１ａ、１１ｂ  強接着領域
Ａ  剥離可能な接着剤
Ｂ  強接着剤
Ｈ  圧着ロール
Ｌ  葉書
Ｐ  単片プリンタ
Ｓ  分断機
【図１】
0003793998.tif 000002
【図２】
0003793998.tif 000003
【図３】
0003793998.tif 000004
【図４】
0003793998.tif 000005
【図５】
0003793998.tif 000006
【図６】
0003793998.tif 000007